(57)【特許請求の範囲】
【請求項１】
ジョブに係る入力操作画面を含む各種の画面を表示するための表示部と、
前記ジョブに係る処理を実行する主制御部と、
外部機器との接続をするインタフェースと、
を備えた画像形成装置であって、前記主制御部は、
前記インタフェースに対する前記外部機器の取り付け又は取り外しに係る着脱情報を取得する着脱情報取得部と、
前記着脱情報取得部で前記外部機器の取り外しに係る着脱情報が取得されたとき、当該取得時点における前記外部機器に関連するジョブに係る処理状況に基づいて、前記取得後の前記表示部における表示内容を制御する表示制御部と、
を備え、
前記表示制御部は、
前記着脱情報取得部で前記外部機器の取り外しに係る着脱情報が取得された場合、当該取得時点における前記外部機器に関連するジョブに係る処理状況に基づいて、前記ジョブに係る処理が完遂していないときには現状の表示内容を維持し、前記ジョブに係る処理が完遂しているときには、前記取得後の前記表示部における表示内容を制御し、現状の表示内容に代えて所定の画面を表示させる
ことを特徴とする画像形成装置。
【請求項２】
請求項１記載の画像形成装置であって、
前記インタフェースはＵＳＢ規格に準拠し、
前記外部機器はＵＳＢ規格に準拠したＵＳＢキーボードである、
ことを特徴とする画像形成装置。
【請求項３】
請求項１又は２に記載の画像形成装置であって、
前記所定の画面は、各種のジョブ若しくは機能のうちいずれかを選択するメニュー画面である、
ことを特徴とする画像形成装置。
【請求項４】
請求項１〜３のうちいずれか一項に記載の画像形成装置であって、
前記ジョブは、印刷出力、ファックス送信、メール送信、又はデータ送信のうち一又は二以上の組み合わせに係るジョブである、
ことを特徴とする画像形成装置。
【発明の詳細な説明】
【技術分野】
【０００１】
本発明は、ジョブに係る処理を実行するように構成された画像形成装置に係り、特に、画像形成装置から外部機器を取り外した時に、その取り外し時におけるジョブの処理状況に応じた適切な表示画面制御を行わせることによって、ユーザの利便性向上に寄与する画像形成装置に関する。
【背景技術】
【０００２】
従来、コピー、ファクシミリ、スキャナ、並びに、プリンタ等の諸機能を併せ持つ、いわゆるＭＦＰ（Multi Function Peripheral）とも呼ばれる画像形成装置が提供されている。こうした画像形成装置においては、例えば、キーボードや記憶装置（メモリ）などといった外部機器をホットプラグを用いて直接接続するために、ＵＳＢ（ユニバーサルシリアルバス）やIEEE1394などのインタフェースが広く採用されている。ホットプラグとは、ホットスワップ（hot swap）機能を有するもので、例えば画像形成装置の電源を入れた状態のまま（再起動を要することなく）、画像形成装置に対する外部機器の取り付けや取り外しを行うことができる機能をいう。このホットプラグ機能によれば、接続しようとする外部機器の電源をオフにすることなく、その接続端子を対応するインタフェース (interface) に挿入接続するだけで自動的に外部機器を認識することができる。また、かかるホットプラグ機能に伴って、外部機器の動作モードに応じて、対応するものとして予め登録されたソフトウェアを自動的に起動する技術が知られている（特許文献１）。
【０００３】
しかし、特許文献１には、外部機器の接続時に対応するものとして予め登録されたソフトウェアを自動的に起動する旨は記載されているものの、同外部機器の取り外し時に、ユーザの利便性向上のために適切な表示画面制御を行わせる旨は開示も示唆もされていない。
【０００４】
従って、特許文献１の技術に基づき画像形成装置の分野に係る当業者が通常の創作能力を発揮したとしても、同外部機器の取り外し時に、ユーザの利便性向上のために適切な表示画面制御を行わせることはできない。
【０００５】
【特許文献１】特開２０００−９９６９７号公報
【発明の開示】
【発明が解決しようとする課題】
【０００６】
解決しようとする問題点は、特許文献１の技術に基づき画像形成装置の分野に係る当業者が通常の創作能力を発揮したとしても、同外部機器の取り外し時に、ユーザの利便性向上のために適切な表示画面制御を行わせることはできない点である。
【課題を解決するための手段】
【０００７】
本発明者は、画像形成装置からの外部機器の取り外し時に、同装置に対して何らかの動作を行わせることによって、ユーザの利便性向上に寄与することができるのではないか？との問題意識をもって、日々の研究活動に勤しんでいた。
【０００８】
そうしたところ、画像形成装置から外部機器を取り外した時に、その取り外し時におけるジョブの処理状況に応じた適切な表示画面制御を行わせることによって、ユーザの利便性向上に寄与することができるのでは？、との発想を得るに至った。
【０００９】
かかる発想を基に、さらなる研究を鋭意推進していたところ、次述する発明を完成させるに至った。
【００１０】
すなわち、本発明は、すなわち、本発明は、画像形成装置から外部機器を取り外した時に、その取り外し時におけるジョブの処理状況に応じた適切な表示画面制御を行わせることによって、ユーザの利便性向上に寄与する画像形成装置を提供するために、ジョブに係る入力操作画面を含む各種の画面を表示するための表示部と、前記ジョブに係る処理を実行する主制御部と、外部機器との接続をするインタフェースと、を備えた画像形成装置であって、前記主制御部は、前記インタフェースに対する前記外部機器の取り付け又は取り外しに係る着脱情報を取得する着脱情報取得部と、前記着脱情報取得部で前記外部機器の取り外しに係る着脱情報が取得されたとき、当該取得時点における前記外部機器に関連するジョブに係る処理状況に基づいて、前記取得後の前記表示部における表示内容を制御する表示制御部と、を備え、前記表示制御部は、前記着脱情報取得部で前記外部機器の取り外しに係る着脱情報が取得された場合、当該取得時点における前記外部機器に関連するジョブに係る処理状況に基づいて、前記ジョブに係る処理が完遂していないときには現状の表示内容を維持し、前記ジョブに係る処理が完遂しているときには、前記取得後の前記表示部における表示内容を制御し、現状の表示内容に代えて所定の画面を表示させることを最も主要な特徴とする。
【発明の効果】
【００１１】
本発明に係る画像形成装置は、ジョブに係る入力操作画面を含む各種の画面を表示するための表示部と、前記ジョブに係る処理を実行する主制御部と、外部機器との接続をするインタフェースと、を備えた画像形成装置であって、前記主制御部は、前記インタフェースに対する前記外部機器の取り付け又は取り外しに係る着脱情報を取得する着脱情報取得部と、前記着脱情報取得部で前記外部機器の取り外しに係る着脱情報が取得されたとき、当該取得時点における前記外部機器に関連するジョブに係る処理状況に基づいて、前記取得後の前記表示部における表示内容を制御する表示制御部と、を備え、表示制御部は、前記着脱情報取得部で前記外部機器の取り外しに係る着脱情報が取得されたとき、当該取得時点における前記外部機器に関連するジョブに係る処理状況に基づいて、前記取得後の前記表示部における表示内容を制御するので、従って、ユーザが、例えば、外部機器としてのキーボードを、インタフェースを介して取り付けた後、所要のジョブに係るキー入力操作を行い、その後、同ジョブに係るキー入力操作内容に従う処理を実行させ、同ジョブに係る一連の処理が完遂した後にキーボードの取り外しを行った際には、既に完遂しているジョブに係る現状の表示内容に代えて、所定の画面（例えば各種のジョブ若しくは機能のうちいずれかを選択するためのメニュー画面）を表示させるように、前記着脱情報取得後の表示部における表示内容を適切に制御し、これをもって、ユーザにおける表示画面の切り替えに係る手間を省略することが可能となる結果として、ユーザの利便性向上に寄与することができる。
【発明を実施するための最良の形態】
【００１２】
画像形成装置から外部機器を取り外した時に、ユーザの利便性向上に寄与するという目的を、着脱情報取得部で外部機器の取り外しに係る着脱情報が取得されたとき、当該取得時点における前記外部機器に関連するジョブに係る処理状況に基づいて、前記取得後の表示部における表示内容を制御する表示制御部により実現した。
【実施例】
【００１３】
以下、本発明実施例に係る画像形成装置について、図面を参照しつつ詳細に説明する。
【００１４】
［画像形成装置の概略構成］
図１は、本発明実施例に係る画像形成装置の機能ブロック図、図２は、本発明に係る画像形成装置の操作パネル部を示す図である。
【００１５】
本発明実施例に係る画像形成装置は、印刷出力、ファックス送信、メール送信、又はデータ送信のうち少なくとも一つの動作が可能であり、マイクロコンピュータ及び専用のハードウェア回路等から構成される主制御部１１によって制御される。この主制御部１１に接続され諸機能を担う入出力機器として、画像形成装置は、スキャナ部２１、画像処理部３１、エンジン部４１、操作パネル部５１、ファクシミリ通信部６１、ＨＤＤ（ハードディスクドライブ）６２、ネットワークＩ／Ｆ（インタフェース）部６３、並びに、本発明においてインタフェースとして機能するＵＳＢホスト部６５を備える。
【００１６】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、装置全体の動作を統括制御する。
【００１７】
スキャナ部２１は、図示しないスキャナを構成する画像照射ランプ２３及びＣＣＤ（電荷結合素子：Charge Coupled Device ）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１８】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１９】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６３を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００２０】
操作パネル部５１は、図１及び図２に示すように、タッチパネル部５３、及びテンキーやスタートキー等から構成される操作キー部５５を含む。操作パネル部５１は、本実施例において諸機能を選択的に入力操作する操作部であり、ユーザがスキャナ機能、ファクシミリ機能、プリンタ機能、コピー機能等に関する操作を行うために使用され、ユーザによる操作指令等を主制御部１１に与える。
【００２１】
タッチパネル部５３（本発明の「表示部」に相当する。）は、ジョブに係る入力操作画面を含む各種の画面を表示する機能を有しており、タッチパネルとＬＣＤ（Liquid Crystal Display）とを組み合わせたタッチパネルユニット等から構成されている。タッチパネル部５３は、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、ＵＳＢホスト部６５に後述するＵＳＢキーボード６９が接続され、かつ、このとき例えばワープロソフトが起動した時には、タッチパネル部５３は、ＵＳＢキーボード６９を用いてキー入力操作された文書を表示する機能を有している。
【００２２】
操作キー部５５は、例えば、コピー機能、プリンタ機能、スキャナ機能、ファクシミリ機能など諸機能のなかから、所要機能のキー入力操作をユーザが選択的に実行する際に用いられるとともに、ユーザが複写部数やコピー実行指令などを操作入力する際に用いられる。
【００２３】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２４】
ネットワークＩ／Ｆ部６３は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信されてきた印刷データ等を受信する。
【００２５】
ＨＤＤ（ハードディスクドライブ）６２は、スキャナ部２１によって読み取られた画像データ及び同画像データに設定されている出力形式等の種々のデータ等を記憶する。ＨＤＤ６２に記憶されている画像データは、画像形成装置内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２６】
ＵＳＢホスト部６５（本発明の「インタフェース」に相当する。）は、ＵＳＢ規格に準拠したものであり、ＵＳＢケーブル６６、並びにＵＳＢコネクタ６７，６８を介して、外部機器としての、ＵＳＢ規格に準拠したＵＳＢキーボード６９と接続される。
【００２７】
さて、画像形成装置から外部機器を取り外した時に、その取り外し時におけるジョブの処理状況に応じた適切な表示画面制御を行わせることによって、ユーザの利便性向上に寄与することを目的として、主制御部１１は、ＵＳＢホスト部６５に対するＵＳＢキーボード（本発明の「外部機器」に相当する。）６９の取り付け又は取り外しに係る着脱情報を取得する着脱情報取得部（本発明の「着脱情報取得部」に相当する。）７１と、ＵＳＢキーボード（外部機器）６９に関連するジョブに係る処理が完遂しているか否かに係る処理状況を管理するジョブ管理部７３と、各種のメニュー画面等のバリエーションに係る画面を記憶する画面記憶部７５と、着脱情報取得部７１でキーボードの取り外しに係る着脱情報が取得されたとき、当該取得時点でＵＳＢキーボード６９を介してキー入力操作がなされたジョブに係る処理状況に基づいて、当該ジョブに係る処理が完遂していないときには現状の表示内容をそのまま維持する一方、当該ジョブに係る処理が完遂しているときには現状の表示内容に代えて所定の画面（例えば各種のジョブ若しくは機能のうちいずれかを選択するためのメニュー画面）を表示させるように、前記取得後のタッチパネル部５３における表示内容を制御する表示制御部（本発明の「表示制御部」に相当する。）７７と、を含んで構成されている。なお、本装置にインストールされて利用に供されるアプリケーションとしては、ワープロソフト、電子メールソフト、Web ブラウザ、表計算ソフト、画像編集ソフト、データベースソフト、プレゼンテーションソフトなどを例示することができる。
【００２８】
［外部機器の取り付け及び取り外し時における動作］
次に、本発明実施例に係る画像形成装置の、外部機器の取り付け及び取り外し時における動作制御の流れを、外部機器としてＵＳＢキーボードを例示して説明する。
【００２９】
図３は、本発明実施例に係る画像形成装置へのＵＳＢキーボードの取り付け及び取り外し時における動作フローチャート図、図４乃至図５は、外部機器の取り外し時において、外部機器に関連するジョブとして、電子メールの送信ジョブを採用した時の表示画面例を示す図、図６乃至図７は、外部機器の取り外し時において、外部機器に関連するジョブとして、データ転送ジョブを採用した時の表示画面例を示す図である。
【００３０】
本発明実施例に係る画像形成装置で用意される多様な機能の選択肢のなかから、あるアプリケーションを選択することで所要のジョブ実行を企図するユーザが、ＵＳＢキーボード６９とＵＳＢホスト部６５とを、ＵＳＢケーブル６６並びにＵＳＢコネクタ６７，６８を介して接続すると（ステップＳ１１）、主制御部１１は、ＵＳＢデバイスに関してサポートされているホットプラグ機能に従って、ＵＳＢデバイスが取り付けられた旨を表す着脱情報、並びに、該取り付けられたＵＳＢデバイスの種別に係る種別情報を取得する（ステップＳ１２）。すなわち、主制御部１１は、Ｓ１２において取得したＵＳＢデバイスの種別情報に基づいて、ＵＳＢデバイスがＵＳＢキーボード６９である旨を認識することになる。
【００３１】
次いで、主制御部１１は、ＵＳＢキーボード６９を介しての、ジョブに係るキー入力操作内容を取得し、取得したキー入力操作内容に従うジョブの処理を実行する（ステップＳ１３）。
【００３２】
ステップＳ１３におけるジョブの処理に並行して、主制御部１１は、着脱情報取得部７１で取得されるＵＳＢキーボード（外部機器）６９の取り外しに係る着脱情報の発生有無を監視している（ステップＳ１４）。
【００３３】
ステップＳ１４における監視中に、着脱情報取得部７１でＵＳＢキーボード（外部機器）６９の取り外しに係る着脱情報が取得されたとき、表示制御部７７は、当該取得時点におけるＵＳＢキーボード（外部機器）６９に関連するジョブに係る処理状況に基づいて、前記取得後のタッチパネル部５３における表示内容を制御する（ステップＳ１５〜Ｓ１７）。具体的には、ジョブ管理部７３は、ＵＳＢキーボード（外部機器）６９に関連するジョブに係る処理が完遂しているか否かに係る処理状況を管理しており、ＵＳＢキーボード６９の取り外しに係る着脱情報を取得した時点における、ＵＳＢキーボード６９に関連するジョブに係る処理が完遂しているか否かに係る処理状況を、表示制御部７７宛に送る。これを受けて表示制御部７７は、ＵＳＢキーボード６９に関連するジョブに係る処理が完遂していないときには現状の表示内容をそのまま維持する（ステップＳ１６）一方、当該ジョブに係る処理が完遂しているときには現状の表示内容に代えて、画面記憶部７５から読み出した所定の画面（例えば各種のジョブ若しくは機能のうちいずれかを選択するためのメニュー画面）を表示させる（ステップＳ１７）ように、前記取得後のタッチパネル部５３における表示内容を制御し、こうした表示制御を実行後に、一連の処理の流れを終了させる。
【００３４】
ここで、本発明の理解を深めるとともに、本発明に係る技術的範囲の射程を明らかにするために、具体例をあげて以下に説明する。
【００３５】
すなわち、例えば、電子メールの送信ジョブを実行しようと企図するユーザが、装置本体のＵＳＢホスト部６５にＵＳＢキーボード６９を取り付けて、電子メール送信ジョブを選択するとともに、宛先となる電子メールアドレスやメッセージ本文をＵＳＢキーボード６９を用いてキー入力操作した場合を考える。この場合において、スタートキー５７の入力操作が未だなされておらず、電子メール送信ジョブに係る処理が完遂していない（ただし、電子メール送信ジョブに係る処理が何らかのエラーによって完遂していないケースを含む。）段階で、ユーザによってＵＳＢキーボード６９が取り外されたときには、タッチパネル部５３の表示内容を消去（以下、「パネルクリア処理」と呼ぶ。）することなく、現状の表示内容をそのまま維持する（図４の（１）乃至（２）参照）。かかる場合にパネルクリア処理を行うと、せっかく手間暇をかけて入力した電子メールアドレスやメッセージ本文が、水泡に帰してしまうからである。一方、スタートキー５７の入力操作がなされることによって、ジョブに係る処理が完遂している段階で、ユーザによってＵＳＢキーボード６９が取り外されたときには、現状の表示内容に代えて、例えば各種のジョブ若しくは機能のうちいずれかを選択するためのメニュー画面を表示させる（図５の（１）乃至（２）参照）。かかる場合には、ユーザは一連の電子メール送信ジョブを完遂しているのであるから、パネルクリア処理を行うとともに、メニュー画面を表示させることによって、ユーザの手を煩わせることなく、次のジョブや機能に係る選択の便宜を提供することが可能となる結果として、ユーザの利便性向上に寄与することができる。
【００３６】
また、例えば、FTP(File Transfer Protocol)によるデータ転送ジョブを実行しようと企図するユーザが、装置本体のＵＳＢホスト部６５にＵＳＢキーボード６９を取り付けて、データ転送ジョブを選択するとともに、宛先となるFTPサーバ名や転送対象文書に係るアドレス情報をＵＳＢキーボード６９を用いてキー入力操作した場合を考える。この場合において、スタートキー５７の入力操作が未だなされておらず、データ転送ジョブに係る処理が完遂していない（ただし、データ転送ジョブに係る処理が何らかのエラーによって完遂していないケースを含む。）段階で、ユーザによってＵＳＢキーボード６９が取り外されたときには、パネルクリア処理を行うことなく、現状の表示内容をそのまま維持する（図６の（１）乃至（２）参照）。かかる場合にパネルクリア処理を行うと、せっかく手間暇をかけて入力したFTPサーバ名や転送対象文書に係るアドレス情報が、水泡に帰してしまうからである。一方、スタートキー５７の入力操作がなされることによって、データ転送ジョブに係る処理が完遂している段階で、ユーザによってＵＳＢキーボード６９が取り外されたときには、現状の表示内容に代えて、例えば各種のジョブ若しくは機能のうちいずれかを選択するためのメニュー画面を表示させる（図７の（１）乃至（２）参照）。かかる場合には、ユーザは一連のデータ転送ジョブを完遂しているのであるから、パネルクリア処理を行うとともに、メニュー画面を表示させることによって、ユーザの手を煩わせることなく、次のジョブや機能に係る選択の便宜に資することが可能となる結果として、ユーザの利便性向上に寄与することができる。
【００３７】
以上述べたように、本発明実施例に係る画像形成装置によれば、表示制御部７７は、着脱情報取得部７１でＵＳＢキーボード（外部機器）６９の取り外しに係る着脱情報が取得されたとき、当該取得時点におけるＵＳＢキーボード６９に関連するジョブに係る処理状況に基づいて、前記取得後のタッチパネル部５３における表示内容を制御するので、従って、ユーザが、ＵＳＢキーボード６９を、ＵＳＢホスト部６５（インタフェース）を介して取り付けた後、所要のジョブに係るキー入力操作を行い、その後、同ジョブに係るキー入力操作内容に従う処理を実行させ、同ジョブに係る一連の処理が完遂した後にＵＳＢキーボード６９の取り外しを行った際には、既に完遂しているジョブに係る現状の表示内容に代えて、例えば各種のジョブ若しくは機能のうちいずれかを選択するためのメニュー画面を表示させるように、前記着脱情報取得後のタッチパネル部５３における表示内容を適切に制御し、これをもって、ユーザにおける表示画面の切り替えに係る手間を省略することが可能となる結果として、ユーザの利便性向上に寄与することができる。
【００３８】
［その他］
なお、本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【００３９】
具体的には、例えば、本発明における画像形成装置と外部機器（例えば実施例に示したＵＳＢキーボード）との接続は、コストや汎用性を考慮すると、現在のところＵＳＢ規格を採用するのが最も望ましいが、将来的にＵＳＢに代わる規格が普及すれば、これに準拠する規格を用いて接続するようにしてもよい。
【００４０】
また、本発明実施例において、外部機器としてＵＳＢキーボードを例示して説明したが、本発明はこの例に限定されることなく、外部機器としてあらゆる種類或いは用途に係る機器を採用することができる。
【００４１】
さらに、本発明実施例では、上述の動作フローチャート図で示した各種処理手順を、主制御部１１が所定のプログラムに従って入出力機器とデータ交換しながら実行する例をあげて説明したが、本発明はこの例に限定されることなく、主制御部１１の機能をハードウェアによって実現するように構成してもよい。
【００４２】
最後に、本発明実施例において、本装置にインストールされて利用に供されるアプリケーションとして、ワープロソフト、電子メールソフト、及びWebブラウザを例示して説明したが、本発明はこの例に限定されることなく、印刷出力、ファックス送信、メール送信、又はデータ送信を含む動作に関連するアプリケーションであれば、表計算ソフト、画像編集ソフト、データベースソフト、プレゼンテーションソフト、ゲーム、及び各種のユーティリティソフトなど、あらゆるソフトウェアを利用可能なアプリケーションとして採用することができる。
【図面の簡単な説明】
【００４３】
【図１】本発明実施例に係る画像形成装置の機能ブロック図である。
【図２】本画像形成装置の操作パネル部を示す外観図である。
【図３】本画像形成装置へのＵＳＢキーボードの取り付け及び取り外し時における動作フローチャート図である。
【図４】外部機器の取り外し時において、外部機器に関連するジョブとして、電子メールの送信ジョブを採用した時の表示画面例を示す図である。
【図５】外部機器の取り外し時において、外部機器に関連するジョブとして、電子メールの送信ジョブを採用した時の表示画面例を示す図である。
【図６】外部機器の取り外し時において、外部機器に関連するジョブとして、データ転送ジョブを採用した時の表示画面例を示す図である。
【図７】外部機器の取り外し時において、外部機器に関連するジョブとして、データ転送ジョブを採用した時の表示画面例を示す図である。
【符号の説明】
【００４４】
１１  主制御部
５３  タッチパネル部（表示部）
６５  ＵＳＢホスト部（インタフェース）
６９  ＵＳＢキーボード（外部機器）
７１  着脱情報取得部（着脱情報取得部）
７３  ジョブ管理部
７５  画面記憶部
７７  表示制御部（表示制御部）
【図１】
0005017075.tif 000002
【図２】
0005017075.tif 000003
【図３】
0005017075.tif 000004
【図４】
0005017075.tif 000005
【図５】
0005017075.tif 000006
【図６】
0005017075.tif 000007
【図７】
0005017075.tif 000008